(57)【要約】容器から製品を注出する改良された注出蓋装置３０，２３０，３３０，４３０，５３０，６３０は製品をリボン状に注出するための細長いすなわち長円形の注出オリフィス５２，２５２，５５２を含む。また、注出蓋装置は、蓋装置デッキ３５に対して、かつオリフィス５２からの製品の流れ方向に対して或る角度をなす方向の注出オリフィス５２を有する注出口を含む。蓋装置３０，２３０，３３０、４３０、５３０、６３０は製品を急速に「切れ」るようにし、乱すことなくきれいで、制御された仕方で製品を注出する。蓋装置３０，２３０，３３０，４３０，５３０，６３０はまた、容器の開口から注出オリフィスまで延びている遷移面５１，５７；２５１，２５７；３５１，３５７；４５１，４５７；５５１，５５７；６５１，６５７を円錐形にしている。遷移面の円錐形状は、容器の開口から注出オリフィスまで製品の流れを滑らかに遷移させ、一方蓋装置によって画成される容積を最小にし、それによって従来技術による装置と比較して、製品の「吸い戻し」を増大させ、迅速な「切れ」を与える。
2004513028.tif 000002
【特許請求の範囲】
【請求項１】
容器からリボン状に製品を注出する注出蓋装置において、
デッキ、および、該デッキから延びて容器と係合するようになっているスカートを有する胴部分と、
注出オリフィスを画成する注出オリフィス周面を含む、前記デッキから延びる注出口であり、注出口後壁および注出口前壁を含み、前記デッキに対して前記前壁とは異なる高さ位置まで前記注出口後壁が延びている前記注出口とを含む注出蓋装置。
【請求項２】
前記注出オリフィス周面が横長の注出オリフィスを画成している請求項１に記載された注出蓋装置。
【請求項３】
前記注出オリフィス周面がオリフィス面を規定し、前記スカートが中心軸線を規定し、前記オリフィス面が前記中心軸線に対して鋭角を成している請求項１に記載された注出蓋装置。
【請求項４】
前記注出オリフィス周面が、一定曲率の一対の円弧状横部分と、注出オリフィス首部表面とを含み、
前記注出オリフィス首部表面が、前側首部表面部分と、該前側首部表面部分に対して実質的に平行に延びる後側首部表面部分とを含む請求項１に記載された注出蓋装置。
【請求項５】
前記注出口の前側部分が、非円形の円錐形状で前記デッキから前記注出オリフィスまで延びている請求項１に記載された注出蓋装置。
【請求項６】
前記注出口の後側部分が非円形の円錐形状で前記デッキから前記注出オリフィスまで延びている請求項１に記載された注出蓋装置。
【請求項７】
前記注出口が前記注出オリフィス周面の下位で凹んで内部密封ビードを有し、
注出蓋装置が、さらに、前記蓋装置胴部分に付属して協働する閉鎖蓋を含み、該閉鎖蓋が密封部材を有し、該密封ビードは、前記注出口と係合することによって前記注出オリフィスを密封閉塞するためのものである請求項１に記載された注出蓋装置。
【請求項８】
前記閉鎖蓋が端壁を含み、前記密封部材が後側部分と前側部分とを有し、前記端壁に対して、前記後側部分よりも高い位置まで前記前側部分が延びている請求項７に記載された注出蓋装置。
【請求項９】
前記蓋が蓋端壁を含み、前記密封部材が、中空であって、前記蓋の端壁から延び、前記注出オリフィスで前記注出口と係合する閉止位置まで前記蓋が動いた時に前記密封部材が弾発性密封力を与えるようになっている請求項８に記載された注出蓋装置。
【請求項１０】
前記注出口前側部分と前記注出口後側部分がそれぞれ非円形の円錐形状で前記注出オリフィスまで延びており、前記注出口前側部分の円錐形状が前記注出口後側部分の円錐形状とは相違する請求項１に記載された注出蓋装置。
【請求項１１】
前記注出口の前側部分と前記注出口後側部分がそれぞれ放物線状にデッキから前記注出オリフィスまで延びている請求項１に記載された注出蓋装置。
【請求項１２】
前記注出口が、非円形の円錐形状でデッキから分配オリフィスまでそれぞれ延びる注出口左側部分と注出口右側部分とを含む請求項１に記載された注出蓋装置。
【請求項１３】
容器から製品をリボン状に注出する注出蓋装置であって、
（１）蓋装置デッキと、（２）容器と係合するように蓋装置デッキから延びているスカートと、（３）前記蓋装置デッキから延びている注出口とを有する蓋装置胴部分を含み、
前記注出口が、（Ａ）注出口後端面まで延びている後壁と、（Ｂ）注出口前端面まで延びている前壁と、（Ｃ）注出オリフィスを画成する注出オリフィス周面とを含み、
前記後壁および前記前壁の少なくとも一方が、前記蓋装置デッキから注出オリフィス周面まで少なくとも部分的に延びている円錐形状の遷移面を有する注出蓋装置。
【発明の詳細な説明】
【０００１】
（技術分野）
本発明は再密封可能な注出蓋装置（注出封止装置）に係り、特に、例えば、スクィーズボトル（内容物を搾り出せる形態の瓶）のような容器から、例えば粘性の食品のような塗り広げ可能な製品をリボン状に、清浄に制御された仕方で注出する再密封可能な注出蓋装置に関するものである。
【０００２】
（発明の背景、および従来技術の技術的課題）
例えば、ゼリー、ペースト等の高粘性食品のための注出装置が広く知られている。それらは、典型的には、高粘性食品を通過させることのできる適切な寸法の注出オリフィスを有する蓋装置胴部分（蓋装置本体）を含む。
【０００３】
高粘性食品用の周知の注出蓋装置には多数の欠点がある。例えば、そのような蓋装置は食品の量を最大にし、かつ注出後、高粘性食品を塗り広げるために必要な使用者の手間の大きさを軽減するような仕方で食品をリボン状に注出するものではない。高粘性食品用の周知の注出蓋装置に関わる欠点の別の例は、そのような注出蓋装置が典型的に、注出が行われた直後に食品をきれいに「切る」能力が欠如していることである。そのため、そのような注出蓋装置を使用すれば、こぼれたり、食品を無駄にしたり、また可能性としては蓋装置に残った食品が周囲雰囲気に露出して、腐ることになりうるため、不衛生な状態をもたらすことが多い。
【０００４】
この問題は、部分的には多くの注出蓋装置に課せられた幾何学的制約から生じる。典型的には、丸型の容器開口である容器の幾何学的形状から注出オリフィスの幾何学的形状への遷移は内部の閉鎖面において急激に遷移することが特徴である。また、蓋装置の幾何学的形状は、蓋装置が製品をきれいに「切る」ことのできる能力に関係する。製品が「切れ」るのは、搾ることのできる容器が、その原形状に復帰するときに発生する真空状態の結果であるため、真空状態が生じる時に発生する「吸い戻し」量を最大になし、したがって、きれいに「切る」ため、食品の被押し出し物に加えられる引き込み力を最大とするべく、蓋装置内の容積を最小にすることが望ましい。したがって、容器の幾何学的形状から注出オリフィスまでの流れの好ましい遷移を提供し、しかも種々の粘度および流れ特性の各種の製品に対してきれいな「切れ」を促進するに十分な「吸い戻し」を可能とする分配蓋装置を提供することが望ましい。
【０００５】
また、そのような改良された蓋装置が、各種形状を有し、種々の材料で形成されたボトル、容器、あるいは包装に対応可能であれば有利である。さらに、そのような改良された蓋装置が調和した作動特性を該装置に提供するように、製品の廃棄量を減少させて、効率的で、高品質の、大量生産技術に対応できれば望ましい。
【０００６】
（発明の要約）
本発明は、従来技術における前記欠点に対処する改良された注出蓋装置を提供するものである。特に、本発明は、使用者がうまく制御できる方法で容器から製品を注出する装置を提供する。本装置は、粘性液体、クリーム、ペースト、ゼリー等の注出に特に適する。使用者は、製品を注出する位置を容易に確認し、次いで、製品のリボン状の被押し出し物を注出することができる。使用者は製品の流れ方向を容易に制御することができる。更に、製品の流れの開始および終了をより正確に制御することができる。当該装置の外側を殆ど、または、全く汚すことなく、製品の流れがきれいに「切れ」た終端となる。
【０００７】
注出蓋装置は、開口を有する容器から製品を注出するために使用するようにされている。注出装置は、そのような容器の端の一体部分として形成するか、または、容器に永続的に、あるいは取り外し可能に取り付けられた別体の組立体であってもよい。本注出蓋装置の具体例を適用できる容器の特徴は、本明細書で説明し、かつ特許請求の範囲に記載された本発明の一部ではない。
【０００８】
本発明は、主観点の下で、製品のリボン状体を注出するための横長の注出オリフィスを含む注出蓋装置を提供するものである。詳しく言えば、この観点の下で、本発明は、（１）蓋装置デッキ（棚状部分）と、（２）容器と係合するために前記蓋装置デッキから延びているスカートと、（３）前記蓋装置デッキから延びている注出口であって、横長の注出オリフィスを画成する注出オリフィス周面を含む注出口とを有する蓋装置胴部分を含む注出蓋装置を提供する。
【０００９】
別の主観点の下で、本発明は、注出蓋装置デッキに対して、または、オリフィスからの製品の流れ方向に対してある角度をつけて向けられた注出オリフィスを有する注出口を含む注出蓋装置を提供する。好適実施例においては、本発明のこの局面は、（１）注出蓋装置デッキと、（２）容器と係合するように注出蓋装置デッキから延びているスカートと、（３）注出蓋装置デッキから延びている注出口であって、（Ａ）注出オリフィスを画成している注出オリフィス周面と、（Ｂ）注出口後端面まで延びている後壁と、（Ｃ）注出口前端面まで延びている前壁とを含み、前記後壁が前壁以上に注出蓋装置デッキから延びている注出口とを有する注出蓋装置胴部分を含む注出蓋装置を提供する。本発明のこの局面による注出蓋装置は注出が行われた直後製品が急速に「切れ」、したがって製品を何ら乱すことなくきれいに、かつ制御された仕方で製品を注出する注出蓋装置を提供する。
【００１０】
本発明は、別の観点の下で、流れおよび注出特性を改良し、従来技術による装置と比較して製品のきれいな「切れ」を提供するように「吸い戻し」効果を高める注出蓋装置を提供する。本発明のこの観点は極めて予期せぬことであったが、本件出願人が発見したものであって、容器の開口から注出オリフィスまでの途中の少なくとも一部を延びる遷移面に円錐形の幾何学的形状を使用することによって好ましい流れ特性ときれいな「切れ」とが提供される。本明細書で使用する「円錐形の幾何学的形状」という用語は円錐形断面の幾何学的形状を有する軌道を全体的に、あるいは部分的に延びる面を意味する。すなわち、そのような面は断面で見ると、放物線状あるいは双曲線状の幾何学的形状を含む円錐形断面外形を有する。実施例において、本発明は、この観点の下で、（１）注出蓋装置デッキと、（２）容器と係合するように注出蓋装置デッキから延びているスカートと、（３）注出蓋装置デッキから延びる注出口であって、（Ａ）注出オリフィスを画成する注出オリフィス周面と、（Ｂ）注出口の後端面まで延びている後壁と、（Ｃ）注出口の前端まで延びている前壁とを含み、前期後壁と前壁とが注出蓋装置デッキから注出オリフィス周面まで少なくとも部分的に延びている遷移面を有しており、該遷移面が円錐形の幾何学的形状を有している注出口とを有する注出蓋装置を提供する。本発明は、この観点の下で、注出蓋装置は容器の開口から注出オリフィスまで製品の流れを滑らかに遷移させ、一方蓋装置の注出口によって画成される容積を最小とし、そのため従来技術による装置と比較して、真空を発生させる可撓性の容器と関連して使用すると「吸い戻し」および製品の急速な「切れ」を増大させる。
【００１１】
本発明の多数のその他の利点および特徴は、本発明の以下の詳細説明、特許請求の範囲、および添付図面から明らかになるだろう。
【００１２】
添付図面は本明細書の一部を形成し、図面を通して同じ部材を指示するために同一符号が付されている。
【００１３】
（詳細説明）
本発明は多様な形態で実施しうるが、本明細書および添付図面は本発明の例として若干の特定形態のみを開示している。しかしながら、本発明は、ここで説明する実施例のみに限定されるものではない。本発明の範囲は特許請求の範囲で定義されている。
【００１４】
説明を容易にするために、本発明を示す図面の殆どは、容器がその基部の上に直立して貯蔵される場合、該容器がその頂部でとる典型的な方向において注出装置を示しており、例えば、上側、下側、水平などの用語はこの位置を基準にして使用される。しかしながら、本発明による注出装置は前記の位置以外の方向においても製造され、貯蔵され、使用され、かつ販売されることが理解される。
【００１５】
本発明による注出装置は、図示したり、説明したりしていないが、その詳細は当該技術分野の当業者であり、そのような容器を理解している人には明らかである各種のデザインを有する各種の従来からの、あるいは特殊な容器に対して使用するのに適している。本明細書で説明している容器自体は本発明の一部を構成せず、したがって本発明を限定するものではない。また、当業者には、説明した蓋装置の例だけで新規かつ非自明な本発明の特徴が具現化されていることを理解できるだろう。
【００１６】
注出蓋装置３０の具体例が図１〜図１４に示されている。注出蓋装置３０は容器（図示せず）と係合するようにされている。図１から判るように、蓋装置３０は、中空で、概ね筒型の基部すなわちスカート３４と該スカート３４の頂部から半径方向、内方に延びる環状の肩部３６とを含む蓋装置胴部分３２を有する。注出装置はまた、前記肩部３６の内側部分から上方に延びる注出口３８を有する。図２から最もよく判るように、スカート３４の内部は内側の雌ねじ４０を形成している。スカート３４は容器の口（図示せず）を受け入れ、ねじ係合するようにされている。スカートのねじ４０は容器の口あるいは首部のねじと適合し、係合するようにされている。蓋装置胴部分のスカート３４の下縁部は、自動化機械が蓋装置胴部分３２を回し、該蓋装置胴部分３２を射出成形モールドから外すために利用される多数のスロットあるいはくぼみ３７を含む。
【００１７】
代替手段として、蓋装置スカート３４は容器の首部における容器の溝あるいはビード（図示せず）とそれぞれ係合するためにねじ４０の代わりにスナップ嵌合のビーズあるいは溝のような、その他の何らかの容器との接続手段を設けてもよい。蓋装置胴部分３２はまた、該蓋装置胴部分３２や容器に使用される材料に応じて、誘導溶融、超音波溶融、糊付け等によって容器に永続的に取り付けることができる。蓋装置胴部分３２はまた、容器の一体部分、あるいは延長部分として形成してもよい。
【００１８】
蓋装置胴部分のスカート３４はいずれかの適当な形状としうる。容器は蓋装置胴部分３２の特定の形状内に受け入れられる上方に突出した首部あるいはその他の部分を有すればよく、容器の主要部分は容器の首部および蓋装置胴部分のスカート３４とは異なる断面形状を有してもよい。
【００１９】
蓋装置３０は容器の内部およびその中に入っている製品を扱うことができるようにするために口あるいはその他の開口を有する容器に対して使用するようにされている。製品は、例えばペースト、ゼリーあるいはジャムのような食品でよい。蓋装置３０はリボン状の押出し物の形で粘性の製品を注出するのに特に適している。しかしながら、蓋装置３０は、限定的でなないが、食品、人間のケアー製品、産業用あるいは家庭用洗剤製品、あるいは（例えば製造、商業用あるいは家庭の保守作業、建設、あるいは農業等に使用する成分である）その他の化学成分を構成する比較的低粘度の液体、粒体等を含むその他の多くの材料に対しても使用可能である。
【００２０】
前記蓋装置が使用可能な容器は典型的には、可撓性壁を有し、該壁は使用者が掴み、搾り出し、あるいは圧縮して容器内の内圧を増して容器から、かつ蓋装置３０を通して製品を押し出すことができる搾り可能な容器である。前記容器は、典型的には、搾り力が解放されると、該容器がその通常の非緊張の形状に戻るような十分な固有の弾発性を有している。そのような搾り可能な壁を有する容器は多くの用途において好ましいものであるが、その他の用途において必ずしも好ましくないこともある。例えば、ある用途において、概ね剛性の大きな容器を採用し、選択した時間にピストンあるいはその他の加圧装置によって容器の内部に加圧することが望ましこともありうる。
【００２１】
引き続き図１および図２を見ると、蓋１５０はスナップ作動（パチッと音を立てて止める動きをすること）のヒンジ１５２によって蓋装置胴部分３２にヒンジ接続することが好ましい。そのようなヒンジは、その開示を参考のために本明細書に含めている米国特許第５６４２８２４号に開示されている。別例として、蓋１５０はスナップ作用のヒンジによって接続する必要はない。その代わりに、フロッピヒンジ（軟質のヒンジ）を使用してもよい。更に、別の実施例（図示せず）において、ヒンジ１５２は完全に省略してよく、蓋１５０は蓋装置胴部分から完全に分離し、完全に取り外し可能としうる。ある用途においては、蓋１５０は完全に省略してもよい。
【００２２】
蓋装置３０の実施例において、蓋１５０は側壁すなわちスカート１５４を含み、そこからヒンジ１５２が胴部分３２まで延びている。蓋のスカート１５４は蓋の着座面１５６を有している。蓋１５０が閉鎖されると、蓋の着座面１５６は蓋装置胴部分のスカート３４の頂部において蓋装置胴部分３２に画成された環状肩部３６と係合する。
【００２３】
更に図３、図１１、図１２、図１４および図１４Ａを見ると、本発明の主特徴によると、実施例蓋装置３０は、リボン状の押出し物の形態で製品を注出しうるように注出口３８に形成された横長形状すなわち細長い形状の注出オリフィス５２を有する。注出オリフィス５２は注出オリフィス周面８６によって画成されている。図１および図２に示すように、注出オリフィス周面８６は前側部分９０と前側部分９０に対して概ね平行である後側部分９１とを含む。また、注出オリフィス周面８６は、一対の丸みをつけた横部分８８（図１）を含む。注出オリフィス５２のこの独特の形状によって使用者が制御された状態で製品をリボン状に注出できるようにし、製品が容器から注出された後それを広げようとする手間を低減あるいは排除する。
【００２４】
図１〜図１０、図１２に最もよく示されるように、注出口３８の外周は着座面３３が形成されている蓋装置デッキ３５（図４〜図６）を含む。注出口３８は４つの壁、すなわち前記蓋装置デッキ３５から上方に延びている部分によって形成されている。注出口の前壁４４は蓋装置デッキ３５から注出口の前壁端面８２（図４〜図６および図１４Ａ）まで上方に延びている。注出口の後壁４６は蓋装置デッキ３５から注出口の後壁端面８４（図４〜図６、図１４Ａ）まで延びている。注出口の前壁４４と後壁４６とは蓋装置胴部分３２の両側に位置している。注出口３８はまた、蓋装置デッキ３５から横方向の端面まで上方に延びている一対の横壁すなわち側壁を含む。注出口の右側の側壁４９は蓋装置デッキ３５から横方向の端面８７まで上方に延び、注出口の左側の側壁４８は蓋装置デッキ３５から横方向の端面８７（図７）まで上方に延びている。図示実施例において、注出口の前壁の端面８２、注出口の後壁の端面８４および横方向の端面８７とは連続した面を形成している。しかしながら、本発明はその他の端面の形状も考慮しており、端面８２，８４および８７は連続した単一の面を形成する必要はなく、相互に対して異なる高さ、あるいは異なる角度の個別の面であってもよいことが理解される。
【００２５】
蓋１５０は、蓋の端壁１５８から延び、該蓋１５０が開放位置（図１に示す）から閉止位置（図１０に示す）へ枢動したとき注出オリフィス周面８６と密封係合するようにされたオリフィス密封部材または「スパッド」（皮剥き具）１６０を含む。オリフィス密封部材１６０は後側部分１６２と前側部分１６４とを含む。本明細書で使用する「前」、「後」という用語は、蓋１５０が閉止位置にある時のオリフィス密封部材１６０の位置を反映している。オリフィス密封部材１６０は、注出オリフィス５２の形状に対して相補的である。
【００２６】
特に図１３、図１４、図１４Ａを見ると、注出オリフィス５２は注出オリフィス周面８６によって画成されており、該周面８６の方は、本実施例においては、注出口の上方に延びた面７４と、注出口の内部密封ビード７８と、注出口の外方にテーパの付いた面８０とを含む。図１４Ａから判るように、注出オリフィス周面８６は注出口の前方内部肩部７２と注出口の内部後方肩部７０とから上方に延びている。
【００２７】
特に、図１４Ｂを見ると、オリフィス密封部材１６０は、その周囲のテーパ付き面１７０，１７４を有する。詳しくは、オリフィス密封部材の後側部分１６２は、その中間面１７４を含み、オリフィス密封部材の前側部分１６４はその中間面１７０を含む。中間面１７０および１７４は、オリフィス密封部材１６０の側方部分にある中間面と共にオリフィス密封部材１６０の周囲の周りを延びる連続した面を形成している。中間面のテーパのために、蓋１５０がその閉止位置まで枢動するにつれて、オリフィス密封部材１６０は不具合な干渉なしに注出オリフィス周面８６と密封係合できる。端面１６０，１６８は、中心軸あるいはオリフィスの密封部材１６０の平面に対して鋭角を成すオリフィス密封部材の平面を規定する。図１４Ｂに示す断面図から判るように、オリフィス密封部材の前側部分１６４と後側部分１６２とは９０度よりも僅かに大きい角度で蓋の端壁１５８から延び、したがって、両者は互いに外方へ延びている。このことによって、オリフィスの密封部材１６０に付勢弾発力を与える。この力は注出オリフィス周面８５との密封係合を高める上で有用である。蓋装置胴部分の注出口３８の内部にある密封ビード（押縁）７８はオリフィス密封部材１６０の外面との密封係合性を向上させる。
【００２８】
図１４、図１４Ａを見ると、本発明の別の主要な特徴によれば、注出口前壁の端面８２と注出口後壁の端面８４とは、蓋装置胴部分３２の軸線（Ａ）に対して鋭角を成して延びるか、または蓋装置胴部分の着座面３３によって画成される平面に対して平行ではない、オリフィス面（平面）（Ｐ）を規定している。軸線（Ａ）はオリフィス５２を通る製品の流れ方向によって画成されることが好ましい。注出オリフィス周面８６の上方に延びている面７４（図１４）があるために、注出される製品が注出オリフィス５２を通してこれらの面に対して平行に流れようとする。オリフィスに角度をつけているので、注出口の後壁４６は注出口の前壁４４よりも蓋装置デッキ３５から高い位置まで延びている。注出口の横壁の端面８７は注出口の前壁の端面８２と接合され、オリフィスの平面（Ｐ）内で連続した面を形成する。この特徴が本発明製品の「切れ」を高め、したがって製品の漏れの可能性や、無駄を低減化する。
【００２９】
本発明の別の主要な特徴によれば、容器の開口から注出オリフィスまでの製品の流れの遷移を向上させ、かつ注出口３８の下の容積を減少させて製品の「切れ」を改善するために円錐形の遷移面形状が蓋装置胴部分３２に使用されている。図４、図５、図６は、本発明による蓋装置の実施例の上面図である図３のそれぞれ線４−４，５−５および６−６に沿って見た断面図である。図４〜図６から判るように、クラブクロー（蟹の爪）形状の環状シール４２が蓋装置胴部分の着座面３３から下方へ突出し、蓋装置３０が装着される容器の環状縁部（図示せず）の上側環状縁部と密封係合する。本発明によれば、注出口の前壁４４は内側遷移面５１を含み、該遷移面は、本実施例においては、蓋装置デッキ３５から注出オリフィス周面８６まで少なくとも部分的に放物線軌道に沿っている。同様に、注出口の後壁４６は注出口の後壁の内側遷移面５７を含み、該遷移面は、本実施例においては、蓋装置デッキ３５から注出オリフィス周面８６まで少なくとも部分的に放物線軌道に沿っている。また、図４〜図６から判るように、注出口の前壁４４はまた、蓋装置デッキ３５から注出口の前壁端面８２まで放物線軌道に沿っている外面５９を含む。同様に、概ね均一な注出口の肉厚を提供するために、注出口の後壁４６は蓋装置デッキ３５から注出口の後壁の端面８４まで放物線軌道に沿っている外面６５を含む。当該技術分野の当業者には注出口の前壁４４の外面と注出口の後面４６の外面とは必ずしも円錐形でなくともよく、特定の蓋装置の特定の美的および／または機能上の要件から必要に応じてその他の形状としてもよいことが理解される。
【００３０】
図７〜図９はそれぞれ、図３の線７−７．８−８および９−９に沿って見た断面図である。この実施例において、注出口３８の横部分の内側の遷移面は円錐状の形状を含んでいない。むしろ、注出口の左側の壁４８および右側の壁４９は、概ね垂直方向に延び、かつ注出オリフィス周面８６まで内方に延びるテーパ付き部分を含んでもよい内面を含む。しかしながら、当業者には本発明の精神および範囲から逸脱することなく注出口の左側および右側の壁の内面に円錐形の形状を採用してもよいことが理解される。注出口の左側の壁４８は概ね垂直の面と、注出オリフィス周面８６に向かって延びている内方にテーパの付いた面とを含む内面６８を含む。また、注出口の左側の壁４８は、蓋装置デッキ３５から注出口の左側の壁の端面８７までの円錐形状に従って延びている外面６１を含む。同様に、注出口の右側の壁４９は概ね垂直の面と内方にテーパの付いた面とを有する内面６６を含む。注出口の右側の壁４９もまた、円錐形状に従って蓋装置デッキ３５から右側の壁の端面８７まで延びる外面６３を含む。
【００３１】
図１５、図１６は、本発明による蓋装置２３０の別の実施例を示す。本実施例において、注出口の前壁２４４は蓋装置デッキ２３５から前壁の端面２８２まで円錐形状でより緩い傾斜であるが、図１から図１４までに示す実施例よりも更に緩い傾斜で延びている。更に、図１から図１４までに示す実施例における対応する面と比較して、前壁の端面２８２は注出口の外面２５９対して遥かに大きな角度を形成している。このことによって掃除がし易い滑らかな仕上げを提供する。注出口の前壁２４４は、円錐形状で、好ましくは放物線状に注出オリフィス周面２８６まで少なくとも部分的に蓋装置デッキ２３５から延びる内側の遷移面２５１を含む。同様に、注出口の後壁２４６は注出口の前壁の内側遷移面２５１よりも険しい、したがって、相違する円錐形状に従って延びている内側の遷移面２５７を含む。図１６からよく判るように、オリフィスの密封部材２６０には、蓋２５０を閉めた時に、傾斜を付した注出オリフィス２５２内にオリフィスの密封部材２６０が進入できるようにするための傾斜付き端面２６６を設けている。
【００３２】
図１７、図１８は、本発明による蓋装置３３０の別の実施例を示す。本実施例において、注出口の壁には概ね垂直の部分と、蓋装置デッキ３３５からのより急な遷移部分とが形成されている。注出口の前壁３４４は蓋装置デッキ３３５から注出口の前壁３４４の垂直部分３６６まで概ね一定の曲率で延びている内側の遷移面３５１を含む。同様に、注出口の後壁３４６は蓋装置デッキ３３５から垂直部分３６６まで概ね一定の曲率で延びている内側の遷移面３５７を含む。外側の遷移面３５９および３６５は概ね一定の曲率の湾曲面として形成されている。先に説明した実施例とは対照的に、本実施例におけるオリフィスの密封部材３６０は注出口３３８の外面と係合するようにされている。その目的に対して、注出口３３８には、その周囲の周りを延びているテーパ付きの外面３７１（図１７）が設けられている。同様に、オリフィスの密封部材３６０には内側のテーパ付き面３６２が設けられている。またも、前記実施例とは対照的に、オリフィスは蓋装置デッキ３３５に対して角度が付けられていない。
【００３３】
図１９、図２０は、本発明による蓋装置４３０の更に別の実施例を示す。本実施例において、注出口の垂直部分４６６は、図１７、 図１８に関して説明した実施例と大きく対比される。注出口の前壁４４４の内側の遷移面４５１は蓋装置デッキ４３５から垂直部分４６６まで概ね一定の曲率の軌道に沿っている。同様に、注出口の後壁４４６の内側の遷移面４５７は蓋装置デッキ４３５から垂直部分４５６まで概ね一定の曲率の軌道に沿っている。外側の遷移面４５９、４６５も一定の曲率を有する。これらの図面から明らかなように、内側および外側の双方のこれらの遷移面の曲率は、図１７、図１８に示す実施例の遷移面の曲率よりも小さく、そのため蓋装置４３０のこの実施例を製造するための材料費を低減する。本実施例において、オリフィスの密封部材４６０は注出口４３８の内面と係合するようにされている。
【００３４】
図２１、図２２は、本発明による蓋装置５３０の別実施例を示す。本実施例において、注出オリフィス５５２は図１〜図１４に示す実施例と比較的異なる角度が付けられている。すなわち、注出口の前壁５４４は蓋装置デッキ５３５から注出口の後壁５４６の高さと概ね同じ高さまで延びている。注出口の前壁５４４と後壁５４６との双方は内側の遷移面を含む。注出口の前壁の内側の遷移面５５１は蓋装置デッキ５３５から注出オリフィス周面５８６まで円錐形状に延びている。注出口の後壁の内側の遷移面５５７は蓋装置デッキ５３５から注出オリフィス周面５８６まで円錐形状に延びている。外側の遷移面５５９および５６０また、それぞれ注出口の前壁５４４と後壁５４６とに設けられている。図２２から詳細に判るように、注出オリフィス周面５８６は内方にテーパの付いた面５８５を含み、該面５８５は注出口の前壁の端面５８２および後壁の端面５８４とから内方に延び、蓋が図２２に示す閉止位置にあるとオリフィスの密封部材５６０と締まり嵌めを形成する。
【００３５】
図２３、図２４は、本発明による蓋装置６３０の更に別の実施例を示す。本実施例において、蓋装置胴部分には概ね一定の曲率の内側遷移面と、概ね垂直の部分６６６と角度の付いたオリフィス面を備えた注出口壁とが設けられている。オリフィスの密封部材６６０は注出口６３８の外面と係合するようにされているが、テーパ付きの端部を含んでいない。すなわち、オリフィスの密封部材６６０の周壁６６２は、オリフィス密封部材６６０の全周で蓋の端壁６５８に対して概ね同じ高さまで延びている。注出口の前壁６６４は、概ね一定の曲率の軌道に沿って蓋装置デッキ６３５から垂直部分６６６まで延びる内側の遷移面６５１を含む。同様に、注出口６４６の後壁６４６は概ね一定の曲率の軌道に沿って蓋装置デッキ６３５から垂直部分まで延びる内側の遷移面６５７を含む。外側の遷移面６５９および６６５蓋装置デッキの厚さから垂直部分の厚さまで遷移するように設けられている。
【００３６】
前記説明およびその例示についての前述した詳細説明から、本発明の新規な概念あるいは原理の真正な精神および範囲から逸脱することなく、多数の変更や修正が実行可能であることが直ちに明らかとなる。例えば、本発明の蓋装置組立体は容器に対してねじ係合するものとして例示されているが、本発明は蓋装置組立体を容器に固定するのにその他の固定技術および用具も考慮している。例えば、本発明は仕上った蓋装置組立体と容器とにねじを介して比較的大きな密封力を加える必要性を排除する蓋装置組立体を提供しており、ねじなしに容器に対して蓋装置組立体を固定することも本発明によって考慮されている。そのような固定方法は、仕上がった滑らかな、ねじなし容器と摺動あるいは入れ子式係合を提供する寸法とされた内径を備えたスカートを有する蓋装置組立体によって提供される摩擦嵌合を組み込めばよい。そのような実施例において、装具と蓋装置胴部分とには、例えばバヨネットタイプのインタロックあるいは固定具のような当接面を設け、それらは、蓋装置組立体を容器に装着可能とするが、蓋装置胴部分と容器とを相対回転させることによって、容器に対する蓋装置胴部分の上方運動を抑制できるように構成可能である。
【図面の簡単な説明】
【図１】
開放位置で示し、蓋装置の実施例の全体的に上からの有利な点、すなわち頂部から見た本発明の好適実施例による個別の注出蓋装置の形態の注出封止システムの実施例の斜視図である。
【図２】
閉鎖システムの全体的に下方の有利な点、すなわち蓋装置の下側から見た図１に示す注出蓋装置の実施例の斜視図である。
【図３】
図１に示す注出蓋装置の実施例の上面図である。
【図４】
図３の線４−４に沿って見た断面図である。
【図５】
図３の線５−５に沿って見た断面図である。
【図６】
図３の線６−６に沿って見た断面図である。
【図７】
図３の線７−７に沿って見た断面図である。
【図８】
図３の線８−８に沿って見た断面図である。
【図９】
図３の線９−９に沿って見た断面図である。
【図１０】
蓋装置の実施例における蓋を閉止位置で示した、図３の線４−４に沿って見た断面図である。
【図１１】
図１に示す蓋装置胴部分の実施例の側面図である。
【図１２】
図１に示す閉鎖体の実施例の拡大した上面図である。
【図１３】
図１２の線１３−１３に沿って見た部分断面図である。
【図１４】
図１３の線１４−１４に沿って見た断面図である。
【図１４Ａ】
図１４の拡大した破断図である。
【図１４Ｂ】
図１４の拡大した破断図である。
【図１５】
別の好適な噴出口とオリフィスとの形態を示す本発明の別の好適実施例の斜視図である。
【図１６】
蓋装置の実施例における蓋を閉止位置で示す、図１５の線１６−１６に沿って見た断面図である。
【図１７】
別の好適な噴出口とオリフィスとの形態を示す本発明の別の好適実施例の斜視図である。
【図１８】
蓋装置の実施例における蓋を閉止位置で示す、図１７の線１８−１８に沿って見た断面図である。
【図１９】
別の好適噴出口とオリフィスとの形態を示す本発明の別の好適実施例の斜視図である。
【図２０】
蓋装置の実施例における蓋を閉止位置で示す、図１９の線２０−２０に沿って見た断面図である。
【図２１】
別の好適注出口とオリフィスとの形態を示す本発明の別の好適実施例の斜視図である。
【図２２】
蓋装置の実施例における蓋を閉止位置で示す、図２１の線２２−２２に沿って見た断面図である。
【図２３】
別の好適な注出口とオリフィスとの形態を示す本発明の別の好適実施例の斜視図である。
【図２４】
蓋装置の実施例における蓋を閉止位置で示す、図２３の線２４−２４に沿って見た断面図である。
【国際公開パンフレット】
2004513028.tif 000003
2004513028.tif 000004
2004513028.tif 000005
2004513028.tif 000006
2004513028.tif 000007
2004513028.tif 000008
2004513028.tif 000009
2004513028.tif 000010
2004513028.tif 000011
2004513028.tif 000012
2004513028.tif 000013
2004513028.tif 000014
2004513028.tif 000015
2004513028.tif 000016
2004513028.tif 000017
2004513028.tif 000018
2004513028.tif 000019
2004513028.tif 000020
2004513028.tif 000021
2004513028.tif 000022
2004513028.tif 000023
2004513028.tif 000024
2004513028.tif 000025
2004513028.tif 000026
2004513028.tif 000027
2004513028.tif 000028
2004513028.tif 000029
2004513028.tif 000030
2004513028.tif 000031
2004513028.tif 000032
【手続補正書】
【提出日】平成13年11月8日(2001.11.8)
【手続補正１】
【補正対象書類名】明細書
【補正対象項目名】００２７
【補正方法】変更
【補正の内容】
【００２７】
特に、図１４Ｂを見ると、オリフィス密封部材１６０は、その周囲のテーパ付き面１７０，１７４を有する。詳しくは、オリフィス密封部材の後側部分１６２は、その中間面１７４を含み、オリフィス密封部材の前側部分１６４はその中間面１７０を含む。中間面１７０および１７４は、オリフィス密封部材１６０の側方部分にある中間面と共にオリフィス密封部材１６０の周囲の周りを延びる連続した面を形成している。中間面のテーパのために、蓋１５０がその閉止位置まで枢動するにつれて、オリフィス密封部材１６０は不具合な干渉なしに注出オリフィス周面８６と密封係合できる。端面１６６，１６８は、中心軸あるいはオリフィスの密封部材１６０の平面に対して鋭角を成すオリフィス密封部材の平面を規定する。図１４Ｂに示す断面図から判るように、オリフィス密封部材の前側部分１６４と後側部分１６２とは９０度よりも僅かに大きい角度で蓋の端壁１５８から延び、したがって、両者は互いに外方へ延びている。このことによって、オリフィスの密封部材１６０に付勢弾発力を与える。この力は注出オリフィス周面８５との密封係合を高める上で有用である。蓋装置胴部分の注出口３８の内部にある密封ビード（押縁）７８はオリフィス密封部材１６０の外面との密封係合性を向上させる。


【手続補正２】
【補正対象書類名】図面
【補正対象項目名】図８
【補正方法】変更
【補正の内容】
【図８】
2004513028.tif 000033
【手続補正３】
【補正対象書類名】図面
【補正対象項目名】図１３
【補正方法】変更
【補正の内容】
【図１３】
2004513028.tif 000034
【国際調査報告】
2004513028.tif 000035